(57)【要約】      （修正有）【課題】車輪の向きを前後方向の移動用にも左右方向の移動用にも切替えて使用できる収納体の車輪取付構造を提供する。【解決手段】収納体１の底面の数箇所に、この収納体１と一体成形された補強リブ２Ａが前後左右四方向に垂設されて成る車輪取付部２を設け、この車輪取付部２を構成する四方向の補強リブ２Ａの夫々に、車輪３の枢着軸３Ａを着脱自在に嵌合枢着する嵌合凹溝４を形成し、この四方向の各嵌合凹溝４のうちの対向する左右二箇所、若しくは対向する前後二箇所を選択して車輪３の枢着軸３Ａを嵌合枢着することで、車輪３の走行向きを左右方向と前後方向とに切替できるように構成する。【選択図】図１
0003110929.tif 000002
【実用新案登録請求の範囲】
【請求項１】
収納体の底面の数箇所に、この収納体と一体成形された補強リブが前後左右四方向に垂設されて成る車輪取付部を設け、この車輪取付部を構成する四方向の補強リブの夫々に、車輪の枢着軸を着脱自在に嵌合枢着する嵌合凹溝を形成し、この四方向の各嵌合凹溝のうちの対向する左右二箇所、若しくは対向する前後二箇所を選択して車輪の枢着軸を嵌合枢着することで、車輪の走行向きを左右方向と前後方向とに切替できるように構成したことを特徴とする収納体の車輪取付構造。
【請求項２】
前後の前記補強リブ間の間隔と、左右の前記補強間の間隔とを略等間隔に設定したことを特徴とする請求項１記載の収納体の車輪取付構造。
【請求項３】
前記収納体の底面の数箇所に方形枠状の囲いリブを垂設状態に一体成形して、この囲いリブを補強リブが前後左右四方向に垂設されて成る前記車輪取付部とし、この囲いリブは、この囲いリブ内で少なくとも車輪の半分が収納され得る垂下長を有するように設定したことを特徴とする請求項１，２のいずれか１項に記載の収納体の車輪取付構造。
【請求項４】
前記嵌合凹溝の開放端部の開放幅を、前記車輪の前記枢着軸の径幅よりも幅狭に設定することで、この嵌合凹溝に車輪の枢着軸を着脱自在に圧入嵌合枢着し得るように構成し、この嵌合凹溝に枢着軸を圧入嵌合した際に車輪を逃げる逃げ空隙部を前記車輪取付部に設けたことを特徴とする請求項１〜３のいずれか１項に記載の収納体の車輪取付構造。
【考案の詳細な説明】
【技術分野】
【０００１】
本考案は、衣装ケースなどの収納体の底部の車輪の向きを簡単に変更することができる収納体の車輪取付構造に関するものである。
【背景技術】
【０００２】
衣装ケースなどの収納体には、底部四隅に車輪が設けられていて、移動可能なものがある。
【考案の開示】
【考案が解決しようとする課題】
【０００３】
このような車輪付の収納体は、前後・左右のいずれか一方向にのみ移動可能な車輪が設けられているものが多く、この車輪による移動可能方向以外の方向への移動はスムーズに行えない。
【０００４】
この点は、３６０度水平回動する自在キャスターを採用することで解消できるが、自在キャスターはコスト高であって商品の価格が高価となってしまうし、自在キャスター自体に高さがあるため、積み重ねできるような収納体には向かない。
【０００５】
本考案は、このような問題点に注目し、車輪の向きを前後方向の移動用にも左右方向の移動用にも切替えて使用できる上に、従来の一方向への移動が可能な車輪付の収納体と同等の高さを有するものに構成可能できる簡易構造の実用的な収納体の車輪取付構造を提供するものである。
【課題を解決するための手段】
【０００６】
添付図面を参照して本考案の要旨を説明する。
【０００７】
収納体１の底面の数箇所に、この収納体１と一体成形された補強リブ２Ａが前後左右四方向に垂設されて成る車輪取付部２を設け、この車輪取付部２を構成する四方向の補強リブ２Ａの夫々に、車輪３の枢着軸３Ａを着脱自在に嵌合枢着する嵌合凹溝４を形成し、この四方向の各嵌合凹溝４のうちの対向する左右二箇所、若しくは対向する前後二箇所を選択して車輪３の枢着軸３Ａを嵌合枢着することで、車輪３の走行向きを左右方向と前後方向とに切替できるように構成したことを特徴とする収納体の車輪取付構造に係るものである。
【０００８】
また、前後の前記補強リブ２Ａ間の間隔と、左右の前記補強リブ２Ａ間の間隔とを略等間隔に設定したことを特徴とする請求項１記載の収納体の車輪取付構造に係るものである。
【０００９】
また、前記収納体１の底面の数箇所に方形枠状の囲いリブ２を垂設状態に一体成形して、この囲いリブ２を補強リブ２Ａが前後左右四方向に垂設されて成る前記車輪取付部２とし、この囲いリブ２は、この囲いリブ２内で少なくとも車輪３の半分が収納され得る垂下長を有するように設定したことを特徴とする請求項１，２のいずれか１項に記載の収納体の車輪取付構造に係るものである。
【００１０】
また、前記嵌合凹溝４の開放端部の開放幅を、前記車輪３の前記枢着軸３Ａの径幅よりも幅狭に設定することで、この嵌合凹溝４に車輪３の枢着軸３Ａを着脱自在に圧入嵌合枢着し得るように構成し、この嵌合凹溝４に枢着軸３Ａを圧入嵌合した際に車輪３を逃げる逃げ空隙部２Ｂを前記車輪取付部２に設けたことを特徴とする請求項１〜３のいずれか１項に記載の収納体の車輪取付構造に係るものである。
【考案の効果】
【００１１】
本考案は上述のように構成したから、収納状況に応じて簡単に車輪の向きを前後方向若しくは左右方向の二方向に変更することができ、しかも、車輪を二方向に切替装着可能な補強リブは、例えば収納体と共に樹脂で一体成形するなどして簡易に設計実現可能であるため、量産性に富み、その上、車輪は、従来の一方向にのみ移動可能なものをそのまま使用できるために部品コストは変わらないし、収納体自体の高さも従来品と変わらないものに構成可能であるため、積み重ね可能な構成も容易に設計可能となるなど、極めて実用性に秀れた収納体の車輪取付構造となる。
【００１２】
また、請求項２記載の考案においては、一つの車輪を前後方向への移動用としても左右方向への移動用としても使用できる一層実用性に秀れた構成の収納体の車輪取付構造となる。
【００１３】
また、請求項３記載の考案においては、前記作用・効果を確実に発揮する車輪取付部を簡易に設計実現可能となる一層実用性に秀れた構成の車輪取付構造となる。
【００１４】
また、請求項４記載の考案においては、車輪の着脱構造を簡易に設計実現可能であると共に、この車輪の着脱操作を極めて容易に行うことができる一層実用性に秀れた構成の収納体の車輪取付構造となる。
【考案を実施するための最良の形態】
【００１５】
好適と考える本考案の実施形態（考案をどのように実施するか）を、図面に基づいて本考案の作用を示して簡単に説明する。
【００１６】
車輪取付部２を構成する前後左右四方向に垂設された補強リブ２Ａのうちの対向する二箇所の嵌合凹溝４を選択して、車輪３の枢着軸３Ａを着脱自在に嵌合枢着することができる。
【００１７】
例えば、収納体１を前後方向に移動させたい場合には、車輪の枢着軸３Ａの軸方向が収納体１の前後方向と直交する方向となるようにして対向する左右二箇所の嵌合凹溝４に車輪３の枢着軸３Ａを嵌合枢着する。
【００１８】
また、収納体１を左右方向に移動させたい場合には、車輪３の枢着軸３Ａの軸方向が収納体１の前後方向と一致するように（平行となるように）して対向する前後二箇所の嵌合凹溝４に車輪３の枢着軸３Ａを嵌合枢着する。
【００１９】
また、車輪３（の枢着軸３Ａ）は、嵌合凹溝４に対して着脱自在であるため、状況に応じ、何時でも自由に車輪３の向きを変更して付け替えることができる。
【００２０】
また、車輪３を二方向に切替装着可能な補強リブ２Ａは、例えば収納体１と共に樹脂で一体成形するなどして簡易に設計実現可能であるため、量産性に富む。
【００２１】
また、車輪３は、従来の一方向にのみ移動可能なものをそのまま使用できるためにこの車輪３の部品コストは従来品と変わらないし、収納体１自体の高さも従来品と変わらないものに構成可能であるため、積み重ね可能な構成も容易に設計可能である。
【００２２】
また、例えば、前記嵌合凹溝４の開放端部の開放幅を、前記車輪３の前記枢着軸３Ａの径幅よりも幅狭に設定することで、この嵌合凹溝４に車輪３の枢着軸３Ａを着脱自在に圧入嵌合枢着し得るように構成し、この嵌合凹溝４に枢着軸３Ａを圧入嵌合した際に車輪３を逃げる逃げ空隙部２Ｂを前記車輪取付部２に設ければ、車輪３の着脱構造を簡易に設計実現可能であると共に、単に嵌合凹溝４に対し車輪３を圧入・圧脱することでこの車輪３の着脱操作を極めて容易に行うことができるので、一層実用的となる。
【００２３】
また、例えば、前後の前記補強リブ２Ａ間の間隔と、左右の前記補強リブ２Ａ間の間隔とを略等間隔に設定すれば、この前後及び左右の補強リブ２Ａ間間隔に対応する長さの枢着軸３Ａを備えた車輪３一つで、前後方向への移動用としても、左右方向への移動用としても装着使用可能となるので、一層実用的となる。
【００２４】
また、例えば、前記収納体１の底面の数箇所に方形枠状の囲いリブ２を垂設状態に一体成形して、この囲いリブ２を補強リブ２Ａが前後左右四方向に垂設されて成る前記車輪取付部２とし、この囲いリブ２は、この囲いリブ２内で少なくとも車輪３の半分が収納され得る垂下長を有するように設定すれば、車輪取付部２を容易に収納体１に一体成形可能となる。
【実施例】
【００２５】
本考案の具体的な実施例について図面に基づいて説明する。
【００２６】
本実施例の収納体１は、図１に示すように一般的な樹脂製の箱型衣装（衣装以外のものも収納可能。）ケースに適用し、この収納体１の底面に車輪３を設けている。
【００２７】
また、収納体１の底面には、この底面の周縁部に沿って略方形環状の補強リブ２Ａが一体成形してある。
【００２８】
本実施例では、この収納体１の底面の四隅に、この収納体１と一体成形された補強リブ２Ａが前後左右四方向に垂設されて成る車輪取付部２を設けている。
【００２９】
具体的には、図１，図２に示すように、収納体１の底面の前記略方形環状の補強リブ２Ａの四隅部分に、この四隅部分の補強リブ２Ａの一部を含めて下から見て略四角枠形状をなす囲いリブ２を一体成形し、この四隅の略四角枠形状をなす囲いリブ２部分を前記車輪取付部２としている。
【００３０】
そして、車輪取付部２を構成する四方向の各補強リブ２Ａに、夫々この補強リブ２Ａ下縁が開放する嵌合凹溝４を形成し、この四方向の各嵌合凹溝４のうちの対向する二箇所に、車輪３の枢着軸３Ａを着脱自在に嵌合枢着し得るように構成している。
【００３１】
また、更に詳しく説明すると、前後の前記補強リブ２Ａ間の間隔と、左右の前記補強リブ２Ａ間の間隔とを略等間隔に設定して、一つの車輪３で、前後方向に対向する補強リブ２Ａ間にも、左右方向に対向する補強リブ２Ａ間にも枢着軸３Ａを嵌合枢着し得るように構成している。
【００３２】
また、この嵌合凹溝４に枢着軸３Ａを圧入嵌合した際に、車輪３を逃げる逃げ空隙部２Ｂを前記車輪取付部２に設けている。
【００３３】
この逃げ空隙部２Ｂは、囲いリブ２間の囲まれた空間部とし、本実施例では、この囲いリブ２内で少なくとも車輪３の半分が収納され得る逃げ空隙部３Ｂが形成されるように囲いリブ２（補強リブ２Ａ）の垂下長を設定構成している。
【００３４】
また、本実施例の車輪３は樹脂製とし、円盤状車輪部の両側面の中心から枢着軸３Ａが突出する形状に一体成形して成る構成としている。
【００３５】
この車輪３の枢着軸３Ａと嵌合凹溝４との着脱自在な枢着構造は、各嵌合凹溝４の開放端部の開放幅を、車輪３の枢着軸３Ａの径幅よりもやや幅狭となるように設計し、これにより嵌合凹溝４の開放端部より車輪３の枢着軸３Ａを圧入嵌合装着でき、且つ圧脱できるように構成している。
【００３６】
従って、このように構成した本実施例によれば、収納の状況に応じて何時でも自由に、しかも簡単に車輪３の向きを二方向に変更することができる。
【００３７】
具体的には、収納体１を前後方向に移動させたい場合には、車輪３の枢着軸３Ａの軸方向が収納体１の前後方向と直交する方向となるようにして対向する左右二箇所の嵌合凹溝４に車輪３の枢着軸３Ａを圧入嵌合枢着する（図３の（ａ）参照。）。
【００３８】
また、収納体１を左右方向に移動させたい場合には、車輪３の枢着軸３Ａの軸方向が収納体１の前後方向と一致するように（平行となるように）して対向する前後二箇所の嵌合凹溝４に車輪３の枢着軸３Ａを圧入嵌合枢着する（図３の（ｂ）参照。）。
【００３９】
また、車輪３の向きの変更作業は、嵌合凹溝４に嵌合している車輪３を収納体１の外方へ引っ張るだけで取り外しでき、取り外した車輪３の向きを変えて異なる嵌合凹溝４に圧入するだけの操作で行われる。
【００４０】
尚、本考案は、本実施例に限られるものではなく、各構成要件の具体的構成は適宜設計し得るものである。
【図面の簡単な説明】
【００４１】
【図１】本実施例の説明斜視図である。
【図２】本実施例の要部を示す部分拡大説明底面図である。
【図３】本実施例の車輪の走行方向を切替た状態を示す説明図である。
【符号の説明】
【００４２】
１  収納体
２  車輪取付部（囲いリブ）
２Ａ  補強リブ
２Ｂ  逃げ空隙部
３  車輪
３Ａ  枢着軸
４  嵌合凹部
【図１】
0003110929.tif 000003
【図２】
0003110929.tif 000004
【図３】
0003110929.tif 000005